(57)【要約】      （修正有）【課題】本体を大型化することなく，バッテリが取出しやすい安価なバッテリ収納機構を備えた撮像装置を提供する。【解決手段】表示部４を収納した状態において対向する位置に指掛け部２２を有するバッテリ２１を収納するバッテリ収納部１９を設けると共に，バッテリ収納部１９と撮像装置本体底面より形成される側壁にバッテリ取外し用の指掛け凹部２０を設け，指掛け凹部２０からバッテリ２１の指掛け部２２を露出し，さらに，バッテリ２１の外装色を撮像装置本体の外装色と異ならせることで，その装着状態が容易に確認できるようにする。また，バッテリ収納部１９の側壁に設けられた指掛け凹部２０を，撮像装置の底面側で，且つ表示部を収納した状態の投影面上に設けることで，指掛け凹部２０を表示部４を開くときの指掛けの凹みとしても使用することも可能とする。【選択図】図３
2006352637.tif 000002
【特許請求の範囲】
【請求項１】
撮像装置本体側面に開閉可能に設けられた表示部と、前記表示部を収納した状態において対向する位置に設けられたバッテリ収納部と、前記バッテリ収納部に着脱可能なバッテリと、を備えた撮像装置において、前記バッテリ収納部と撮像装置外観面より形成される側壁にバッテリ取外し用の指掛け凹部を設け、前記指掛け凹部から前記バッテリの装着の有無が確認出来ることを特徴とする撮像装置。
【請求項２】
前記指掛け凹部は、前記表示部を収納した状態における前記表示部の投影面上に設けることを特徴とする請求項１に記載の撮像装置。
【請求項３】
前記指掛け凹部は、撮像装置底面側に設けることを特徴とする請求項１または２に記載の撮像装置。
【請求項４】
前記バッテリに指掛け部を設けると共に、前記指掛け部は前記バッテリを前記バッテリ収納部に装着した状態において、前記指掛け凹部に収納されることを特徴とする請求項１から３の何れかに記載の撮像装置。
【請求項５】
前記指掛け凹部を、前記表示部を開くときの指掛けの凹みとして使用することを特徴とする請求項１から４の何れかに記載の撮像装置。
【請求項６】
前記バッテリの外装色を撮像装置本体の外装色と異なる色としたことを特徴とする請求項１から５の何れかに記載の撮像装置。
【発明の詳細な説明】
【技術分野】
【０００１】
本発明は、バッテリ収納部を備えた撮像装置に関するものである。
【背景技術】
【０００２】
一般に、ビデオカメラなどの撮像装置では、屋外にて使用する機会が多いため、その主たる電源としては２次電池としてのバッテリを用いている。
【０００３】
従来のビデオカメラのバッテリの取付けは、ビデオカメラ本体背面などの一側面に露出した状態で取付ける方法が多く採用されている（例えば、特許文献１参照）。
【０００４】
また、近年のビデオカメラは、被写体の撮影と記録、再生をするビデオカメラ本体側面に、液晶表示装置などの表示部を備えたものが多い。この表示部は、通常、再生モードにおいて、再生画像を表示したり、撮影モードにおいて、被写体を見るために使用される。また、この表示部は、ビデオカメラ本体に対して、開閉自在に取付けられており、通常、開いた状態で使用され、閉じた状態でビデオカメラ本体側面に収納される。
【０００５】
しかしながら、上記のようにバッテリをビデオカメラ本体などの一側面に露出した状態で取付けた場合、バッテリがビデオカメラ本体より突出するため、操作時や携帯時に不用意に物にぶつかったり、誤操作によりバッテリが脱落する恐れがあるなどの問題があった。
【０００６】
そこで、前述したような表示部が設けられたビデオカメラ本体の一側面側に、バッテリをその一側面よりビデオカメラ本体内に収納可能なバッテリ収納部を形成し、表示部をバッテリ収納部の蓋として兼用することで、携行中にバッテリが脱落するのを防止する構成としたものが提案されている（例えば、特許文献２参照）。
【０００７】
図１０から図１５は、特許文献２に記載されているようなバッテリ収納部を備えた従来のビデオカメラを説明するための図である。
【０００８】
図１０は従来のビデオカメラにおけるバッテリの非装着状態を示す斜視図、図１１は従来のビデオカメラにおけるバッテリの装着状態を示す斜視図である。
【０００９】
図１０において、１００はビデオカメラ本体、１０１はビデオカメラ本体側面に設けられた開閉及び回転可能な表示部、１０２は表示部１０１を閉じた状態で対向する位置に設けられたバッテリ収納部である。図１１において、１０３はバッテリであり、装着状態において、バッテリ収納部１０２に収納される。
【００１０】
次に従来のバッテリ収納部１０２の構成について説明する。
【００１１】
図１２は従来のビデオカメラにおけるバッテリ収納部を説明するための拡大図、図１３は従来のビデオカメラにおけるバッテリ収納部１０２にバッテリ１０３を装着した状態の拡大図である。
【００１２】
図１２において、バッテリ収納部１０２は、前述したように、表示部１０１を閉じた状態で対向する位置に設けられると共に、バッテリ１０３と略同形状に凹んだ形状に形成される。１０４はバッテリをロックするためのロックツメ、１０５はロックツメ１０４を動作させるためのバッテリ取外しツマミ、１０６はバッテリ１０３を取出し易くするために、バッテリ１０３をホップアップするためのホップアップ部材である。
【００１３】
ここで、バッテリ１０３の取付け動作及び取外し動作について説明する。
【００１４】
図１４（ａ）及び図１４（ｂ）は、図１３におけるＣＣ断面図であり、バッテリ１０３の取付け及び取外し動作を説明するための図である。
【００１５】
図１４（ａ）及び図１４（ｂ）において、１０７はバッテリ側面に形成されたロックツメ１０４との係合部、１０８はホップアップ部材１０６をバッテリ１０３の取外し方向に付勢する圧縮バネである。
【００１６】
バッテリ１０３のバッテリ収納部１０２への取付け動作は、図１４（ａ）に示すように、ホップアップ部材１０６をバッテリ１０３の取外し方向に付勢する圧縮バネ１０８のバネ力に抗して、バッテリ１０３の係合部１０７にロックツメ１０４を係合させることで、バッテリ１０３がバッテリ収納部１０２に保持される。
【００１７】
また、バッテリ１０３の取出し動作は、図１４（ｂ）に示すように、バッテリ取外しツマミ１０５を操作することによって、ロックツメ１０４が係合部１０７との係合が外れる位置に移動することで、圧縮バネ１０８のバネ力によってホップアップ部材１０６がバッテリ１０３を取外し方向にポップアップさせる。よって、バッテリ１０３がバッテリ収納部１０２から飛び出した位置に移動するので、バッテリ１０３を取外すことが可能となる。
【特許文献１】特開２００３−２１９２４８号公報
【特許文献２】特開２００５−０３９３４１号公報
【発明の開示】
【発明が解決しようとする課題】
【００１８】
しかしながら、上記の構成では、バッテリ収納部１０２が表示部１０１を閉じた状態で対向する位置に設けられているために、図１５のように、表示部１０１を閉じた状態では、バッテリ１０３がバッテリ収納部１０２に装着状態か非装着状態かわからないといった問題があった。すなわち、バッテリ１０３の装着及び非装着を確認するために、わざわざ表示部１０１を開いて確認する必要があり、ユーザーにとって煩わしいものとなってしまう恐れがある。
【００１９】
また、バッテリ収納部１０２の形状は、バッテリ１０３と略同形状に凹んだ形状であるために、上記に説明したホップアップ部材１０６などのバッテリホップアップ機構が無ければバッテリ１０３が取出し難いといった問題があった。よって、部品点数が増加するために、ビデオカメラ本体が大型化及びコストアップしてしまう恐れがあるといった問題があった。
【００２０】
本発明は上記のような問題点を解決するためになされたものであり、本体を大型化することなく、バッテリが取出しやすい安価なバッテリ収納機構を備えた撮像装置を提供することを目的とする。
【課題を解決するための手段】
【００２１】
上記の目的を達成するために、請求項１に記載の発明は、撮像装置において、撮像装置本体側面に開閉可能に設けられた表示部と、前記表示部を収納した状態において対向する位置に設けられたバッテリ収納部と、前記バッテリ収納部に着脱可能なバッテリと、を備えた撮像装置において、前記バッテリ収納部と撮像装置外観面より形成される側壁にバッテリ取外し用の指掛け凹部を設け、前記指掛け凹部から前記バッテリの装着の有無が確認出来ることを特徴とした。
【００２２】
請求項２に記載の発明は、請求項１に記載の撮像装置において、前記指掛け凹部は、前記表示部を収納した状態における前記表示部の投影面上に設けることを特徴とした。
【００２３】
請求項３に記載の発明は、請求項１または２に記載の撮像装置において、前記指掛け凹部は、撮像装置底面側に設けることを特徴とした。
【００２４】
請求項４に記載の発明は、請求項１から３の何れかに記載の撮像装置において、さらに前記バッテリに指掛け部を設けると共に、前記指掛け部は前記バッテリを前記バッテリ収納部に装着した状態において、前記指掛け凹部に収納されることを特徴とした。
【００２５】
請求項５に記載の発明は、請求項１から４の何れかに記載の撮像装置において、前記指掛け凹部を、前記表示部を開くときの指掛けの凹みとして使用することを特徴とした。
【００２６】
請求項６に記載の発明は、請求項１から５の何れかに記載の撮像装置において、前記バッテリの外装色を撮像装置本体の外装色と異なる色としたことを特徴とした。
【発明の効果】
【００２７】
本発明によれば、撮像装置において、表示部を収納した状態において対向する位置にバッテリ収納部を設けると共に、バッテリ収納部と撮像装置本体底面より形成される側壁にバッテリ取外し用の指掛け凹部を設けた。よって、バッテリホップアップ機構を必要とせずともバッテリを容易に取外すことが出来、撮像装置の小型化及びコストダウンが可能となる。
【００２８】
また、指掛け凹部からバッテリの装着状態が確認できるので、バッテリの装着及び非装着を確認するために、わざわざ表示部を開いて確認する手間を省くことが可能となる。
【００２９】
さらに、バッテリの外装色を撮像装置本体の外装色と異なるように構成したので、指掛け凹部から見えるバッテリを目立たせることが出来、バッテリの装着の有無を容易に確認することが可能となる。
【００３０】
また、バッテリ収納部の側壁に設けられた指掛け凹部を、撮像装置の底面側で、且つ表示部を収納した状態の投影面上に設けたので、外観上目立たない場所に配置することが可能となり、撮像装置本体の美観を高めることができる。
【００３１】
また、指掛け凹部は表示部を開くときの指掛けの凹みとしても使用することが可能となるので、表示部の開動作を容易とすることが可能となる。
【発明を実施するための最良の形態】
【００３２】
以下、本発明の実施の形態について図面を参照しながら説明する。
【実施例】
【００３３】
図１は本発明の実施形態におけるビデオカメラの正面方向（被写体側）から見た斜視図、図２は同ビデオカメラの後方（撮影者側）から見た斜視図である。
【００３４】
図１において、１はビデオカメラ本体、２はビデオカメラ本体１の長手方向前方（被写体側）に設けられたレンズ部、３は撮影音声を集音するマイク部、４は撮影画像を確認するための表示部であり、２．５インチ程度の液晶パネルなどより構成される。また、表示部４は、ヒンジ機構によって開閉及び回転が可能である。
【００３５】
５ａ，５ｂ，５ｃ，５ｄ，５ｅ，５ｆ，５ｇは各種操作ボタンであり、再生／一時停止、停止、早送り、巻き戻し等の再生操作、デジタルエフェクトの可否、連写機能の設定、セルフタイマーの設定等を行うことが可能である。
【００３６】
６はビデオカメラ本体１の内部に設けられた記録再生装置（不図示）に磁気テープ等の記録媒体を装填するための開口を開閉するカセットカバー、７はカセットカバーを開動作させるオープンツマミである。
【００３７】
８はズーム操作を行うためのズームツマミ、９は静止画の記録を行うフォトボタンである。
【００３８】
図２において、１０は撮影画像を確認するための接眼タイプのファインダー部、１１はメニュー表示のＯＮ／ＯＦＦの切替え等を行うメニューボタン、１２はメニューの選択・決定等を行うメニューツマミ、１３は撮影時にホワイトバランスの設定を行うホワイトバランス設定ボタン、１４は撮影時にオート／マニュアルフォーカス選択を設定するフォーカス設定ボタン、１５は撮影時に露出を設定する露出設定ボタンである。
【００３９】
１６はモードダイヤルであり、ダイヤルを回転動作することで、全自動モード、シャッタースピード優先モード、絞り優先モードなどの撮影イメージに合わせたプログラム自動露出を設定することが可能である。
【００４０】
１７は電源ダイヤルであり、回転動作することで電源オフ、撮影モード、再生モードを切り替えることが可能である。
【００４１】
１８はトリガーボタンであり、押圧動作することで、動画撮影のスタート／ストップを行うことが可能である。
【００４２】
次に本発明の特徴とするバッテリ収納部の構成について詳しく説明する。
【００４３】
図３は本発明の実施形態におけるビデオカメラの表示部４を開いた状態の斜視図である。
【００４４】
図３において、１９は表示部４を閉じた状態で対向する位置に設けられたバッテリ収納部であり、バッテリと略同形状に凹んだ形状に形成される。２０はバッテリ収納部１９とビデオカメラ本体１底面より形成される側壁に設けられた指掛け凹部、２１はビデオカメラ本体１に電源を供給するバッテリ、２２はバッテリに形成された指掛け部である。
【００４５】
また、図４は同ビデオカメラにおけるバッテリ収納部１９の拡大図、図５は同ビデオカメラにおけるバッテリ収納部１９にバッテリ２１を装着した状態の拡大図である。
【００４６】
図４及び図５において、２３はバッテリ２１をロックするためのロックツメ、２４はロックツメ２３を動作させるためのバッテリ取外しツマミである。図５に示すように、バッテリ２１に形成された指掛け部２２は、バッテリ２１がバッテリ収納部１９に収納された状態において、指掛け凹部２０に収納される。
【００４７】
ここで、バッテリ２１の取付け動作及び取外し動作について説明する。
【００４８】
図６（ａ）及び図６（ｂ）は、図５におけるＡＡ断面図であり、バッテリ２１の取付け及取外し時におけるロックツメ２３の動作を説明するための図である。また、図７（ａ）及び図７（ｂ）は、図５におけるＢＢ断面図であり、バッテリ２１の取外し動作を説明するための図である。
【００４９】
バッテリ２１のバッテリ収納部１９への取付け動作は、図６（ａ）に示すように、バッテリ２１側面に形成された係合部２５にロックツメ２３を係合させることで、バッテリ２１がバッテリ収納部１９に保持される。
【００５０】
また、バッテリ２１の取出し動作は、図６（ｂ）に示すように、バッテリ取外しツマミ２４を操作することによって、ロックツメ２３が係合部２５との係合が外れる位置に移動することで、保持が解除される。この時、図７（ａ）及び図７（ｂ）に示すように、バッテリ２１に形成された指掛け部２２に指を掛けることで、バッテリ２１をバッテリ収納部１９から容易に取外すことができる。よって、従来例で説明したようなバッテリホップアップ機構を必要とせず、ビデオカメラ本体１の小型化及びコストダウンが可能となる。
【００５１】
また、図８は、バッテリ２１を装着した状態で、且つ表示部４を閉じた状態を底面側から見た図である。図８で示すように、バッテリ収納部１９の側壁に設けられた指掛け凹部２０からバッテリ２１の装着状態が確認できるので、バッテリ２１の装着及び非装着を確認するために、わざわざ表示部４を開いて確認する手間をなくすことが可能となる。
【００５２】
なお、バッテリ２１の外装色をビデオカメラ本体１の外装色と異なるように構成することで、指掛け凹部２０から見えるバッテリ２１を目立たせることが出来、バッテリ２１の装着の有無を容易に確認することが可能となる。
【００５３】
さらに、バッテリ収納部１９の側壁に設けられた指掛け凹部２０を、ビデオカメラ本体１の底面側で、且つ表示部４を閉じた状態の投影面上に設けたので、外観上目立たない場所に配置することが可能となり、ビデオカメラ本体１の美観を高めることができる。
【００５４】
また、図９は、表示部４を閉じた状態での指掛け凹部２０の断面図である。図９で示すように、バッテリ収納部１９の側壁に設けられた指掛け凹部２０は、表示部４を開く時の指掛けとして使用することが可能となるので、表示部４の開動作を容易とすることが可能となる。
【００５５】
以上説明したように、本実施形態では、表示部４を閉じた状態で対向する位置に設けられたバッテリ収納部１９を設けると共に、バッテリ収納部１９とビデオカメラ本体１底面より形成される側壁に指掛け凹部２０を設けた。よって、バッテリホップアップ機構を必要とせずともバッテリ２１を容易に取外すことが出来、ビデオカメラ本体１の小型化及びコストダウンが可能となる。
【００５６】
また、指掛け凹部２０からバッテリ２１の装着状態が確認できるので、バッテリ２１の装着及び非装着を確認するために、わざわざ表示部４を開いて確認する手間をなくすことが可能となる。
【００５７】
さらに、バッテリ２１の外装色をビデオカメラ本体１の外装色と異なるように構成することで、指掛け凹部２０から見えるバッテリ２１を目立たせることが出来、バッテリ２１の装着の有無を容易に確認することが可能となる。
【００５８】
また、バッテリ収納部１９の側壁に設けられた指掛け凹部２０を、ビデオカメラ本体１の底面側で、且つ表示部４を閉じた状態の投影面上に設けたので、外観上目立たない場所に配置することが可能となり、ビデオカメラ本体１の美観を高めることができる。
【００５９】
また、指掛け凹部２０は表示部４を開くときの指掛けの凹みとしても使用することが可能となるので、表示部４の開動作を容易とすることが可能となる。
【図面の簡単な説明】
【００６０】
【図１】本発明の実施形態におけるビデオカメラの正面方向（被写体側）右側から見た斜視図である。
【図２】本発明の実施形態におけるビデオカメラの後方（撮影者側）から見た背面図である。
【図３】本発明の実施形態におけるビデオカメラの表示部を開いた状態の斜視図である。
【図４】本発明の実施形態におけるビデオカメラのバッテリ収納部の拡大図である。
【図５】本発明の実施形態におけるビデオカメラのバッテリ収納部にバッテリを装着した状態の拡大図である。
【図６】（ａ）は図５におけるＡＡ断面図で、バッテリの取付け及び取外し時におけるロックツメの動作を説明するための図であり、（ｂ）は図５におけるＡＡ断面図で、バッテリの取付け及び取外し時におけるロックツメの動作を説明するための図である。
【図７】（ａ）は図５におけるＢＢ断面図で、バッテリの取外し動作を説明するための図であり、（ｂ）は図５におけるＢＢ断面図で、バッテリの取外し動作を説明するための図である。
【図８】本発明の実施形態におけるビデオカメラのバッテリを装着した状態で、且つ表示部を閉じた状態を底面側から見た図である。
【図９】本発明の実施形態におけるビデオカメラの表示部を閉じた状態での指掛け凹部の断面図である。
【図１０】従来のビデオカメラにおけるバッテリの非装着状態を示す斜視図である。
【図１１】従来のビデオカメラにおけるバッテリの装着状態を示す斜視図である。
【図１２】従来のビデオカメラにおけるバッテリ収納部を説明するための拡大図である。
【図１３】従来のビデオカメラにおけるバッテリ収納部にバッテリを装着した状態の拡大図である。
【図１４】（ａ）は図１３におけるＣＣ断面図で、バッテリの取付け及び取外し動作を説明するための図であり、（ｂ）は図１３におけるＣＣ断面図で、バッテリの取付け及び取外し動作を説明するための図である。
【図１５】従来のビデオカメラにおける表示部を閉じた状態を示す図である。
【符号の説明】
【００６１】
１      ビデオカメラ本体
２      レンズ部
３      マイク部
４      表示部
５ａ，５ｂ，５ｃ，５ｄ，５ｅ，５ｆ，５ｇ  操作ボタン
６      カセットカバー
７      オープンツマミ
８      ズームツマミ
９      フォトボタン
１０    ファインダー部
１１    メニューボタン
１２    メニューツマミ
１３    ホワイトバランス設定ボタン
１４    フォーカス設定ボタン
１５    露出設定ボタン
１６    モードダイヤル
１７    電源ダイヤル
１８    トリガーボタン
１９    バッテリ収納部
２０    指掛け凹部
２１    バッテリ
２２    指掛け部
２３    ロックツメ
２４    バッテリ取外しツマミ
２５    係合部
１００  ビデオカメラ本体
１０１  表示部
１０２  バッテリ収納部
１０３  バッテリ
１０４  ロックツメ
１０５  バッテリ取外しツマミ
１０６  ホップアップ部材
１０７  係合部
１０８  圧縮バネ
【図１】
2006352637.tif 000003
【図２】
2006352637.tif 000004
【図３】
2006352637.tif 000005
【図４】
2006352637.tif 000006
【図５】
2006352637.tif 000007
【図６】
2006352637.tif 000008
【図７】
2006352637.tif 000009
【図８】
2006352637.tif 000010
【図９】
2006352637.tif 000011
【図１０】
2006352637.tif 000012
【図１１】
2006352637.tif 000013
【図１２】
2006352637.tif 000014
【図１３】
2006352637.tif 000015
【図１４】
2006352637.tif 000016
【図１５】
2006352637.tif 000017